(57)【特許請求の範囲】
【請求項１】
便器の固定ネジで共締めして床面上に載置固定される基台に垂直方向に立設されるよう一体的に設けた支柱に、垂直軸回りに旋回可能となるようにアームの一端を取り付け、前記アームを旋回させるだけで、便座を便器の直上位置からトイレ出入口まで移動可能となるように、前記アームの他端に前記便座を支持する便座支持体を設けたことを特徴とするトイレ用介助装置。
【請求項２】
前記アームを少なくとも便座が便器の直上に位置する状態とトイレ出入口側に移動した移乗状態とで固定可能な固定手段を、前記アームの支柱への取り付け側端部に設けた筒状部材の側面部に上下方向に設けられるロックレバーの中間部を枢着させると共に、該ロックレバーの下端部が常に前記支柱の上部に設けられたストッパー体側に当接するように該ロックレバーの枢着部上方側に圧縮バネを介装させて付勢させ、さらに、前記ストッパー体の鍔部に前記ロックレバーの下端部が係合可能な切欠溝を形成して、該切欠溝に前記ロックレバーの下端部が係合するとアームが固定され、逆に切欠溝からロックレバーの下端部が抜け出るとアームが旋回自在な状態となるように構成したことを特徴とする請求項１に記載のトイレ用介助装置。
【請求項３】
前記便座支持体の反支柱側に縦フレームを介して床面上を転動するブレーキ機構が設けられた自在車輪を設けたことを特徴とする請求項１に記載のトイレ用介助装置。
【請求項４】
前記便座支持体の反支柱側に設けた支持筒体に手摺の垂直パイプを摺動自在に嵌合させることで手摺を上下動自在に設け、さらに、受け部材が一体に設けられたレバーを回動自在に前記支持筒体に枢着してなる高さ切替手段を設け、該高さ切替手段のレバーを回動操作して、前記受け部材が前記手摺の垂直パイプ下端を受ける状態と受けない状態に切り替えることで、手摺を上方位置と便座側方からの移乗の邪魔とならない下方位置とで支持可能としたことを特徴とする請求項１に記載のトイレ用介助装置。
【発明の詳細な説明】
【０００１】
【発明の属する技術分野】
本発明は、トイレ用介助装置に関するものである。
【０００２】
【従来の技術】
従来、一般の住宅におけるトイレへの移乗介護は、身体障害者や老人等の被介護者を車椅子等の運搬車により入り口まで運び、そこから介護者が抱きかかえて便座上に移乗させなければならず、介護者に掛かる負担が極めて大きかった。また、一般住宅のトイレは室内空間が狭く、介護作業をするにも困難であった。
【０００３】
そのため、寝室にポータブルトイレを設置して広い所で移乗介護できるようにし、介護者に掛かる負担を軽減するようにもしたが、臭いや洗浄、処理等の問題や、設置スペース確保の問題がある。また、被介護者も健常者と同様に排泄はトイレでしたいという強い気持ちがある。
【０００４】
【発明が解決しようとする課題】
そこで本発明は上記問題点に鑑み、一般の住宅におけるトイレへの移乗介護の際、介護者及び被介護者の負担を軽減すると共に、健常者が使用するときにも違和感がなく、さらには既設のトイレにも設置できるトイレ用介助装置を提供することを課題としている。
【０００５】
【課題を解決するための手段】
本発明は上記課題を解決するために、次のようにした。すなわち、本発明のトイレ用介助装置は、便器の固定ネジで共締めして床面上に載置固定される基台に垂直方向に立設されるよう一体的に設けた支柱に、垂直軸回りに旋回可能となるようにアームの一端を取り付け、前記アームを旋回させるだけで、便座を便器の直上位置からトイレ出入口まで移動可能となるように、前記アームの他端に前記便座を支持する便座支持体を設けたことを特徴とする。
【０００６】
また、前記アームを少なくとも便座が便器の直上に位置する状態とトイレ出入口側に移動した移乗状態とで固定可能な固定手段を、前記アームの支柱への取り付け側端部に設けた筒状部材の側面部に上下方向に設けられるロックレバーの中間部を枢着させると共に、該ロックレバーの下端部が常に前記支柱の上部に設けられたストッパー体側に当接するように該ロックレバーの枢着部上方側に圧縮バネを介装させて付勢させ、さらに、前記ストッパー体の鍔部に前記ロックレバーの下端部が係合可能な切欠溝を形成して、該切欠溝に前記ロックレバーの下端部が係合するとアームが固定され、逆に切欠溝からロックレバーの下端部が抜け出るとアームが旋回自在な状態となるように構成したことを特徴とする。
【０００７】
また、前記便座支持体の反支柱側に縦フレームを介して床面上を転動するブレーキ機構が設けられた自在車輪を設けたことを特徴とする。
【０００８】
また、前記便座支持体の反支柱側に設けた支持筒体に手摺の垂直パイプを摺動自在に嵌合させることで手摺を上下動自在に設け、さらに、受け部材が一体に設けられたレバーを回動自在に前記支持筒体に枢着してなる高さ切替手段を設け、該高さ切替手段のレバーを回動操作して、前記受け部材が前記手摺の垂直パイプ下端を受ける状態と受けない状態に切り替えることで、手摺を上方位置と便座側方からの移乗の邪魔とならない下方位置とで支持可能としたことを特徴とする。
【００１１】
【作用】
このトイレ用介助装置は、固定手段を解除するとアームが旋回自在な状態となり、先端部に設けられる便座が便器の直上に位置する状態からトイレ出入口側に旋回移動できるようになる。この出入日側へ移動させた便座を固定手段により固定した後、この便座上に身体障害者や老人等の被介護者を移乗させる。このとき、便座の反支柱側は床面上を転動する自在車輪により支持されているので、被介護者の体重により便座が傾斜することなくしっかりと水平状態に保持される。また、この移乗介護はトイレ外側の広いスペースで行えるので、介護者及び被介護者の負担が軽減される。手摺を下降させておけば、便座の側方からも移乗させることができ、さらに移乗容易となる。
【００１２】
被介護者を便座上に移乗させた後、固定手段を解除して便座を便器の直上に位置する状態まで移動させ、再び固定手段により便座を固定すればよい。
【００１３】
【実施例】
以下、本発明の一実施例を図面に基づき詳細に説明する。
【００１４】
図中１はトイレであり、２は便器を示す。このトイレ１は一般住宅におけるトイレであり、出入口３が便器２に対し左右一側に設けられている。
【００１５】
４は本発明にかかる介助装置であり、支柱５を出入口３と便器２との間の壁面近傍に立設している。本実施例では、前記支柱５の下端部に平面視がＬ字形に形成された基台６の一端を固着し、他端に突設されたブラケット７，７を便器２の固定ネジ８，８で共締めして、支柱５を立設固定するように設け、簡単に設置できるようになっている。
【００１６】
前記支柱５の上部外周には鍔状のストッパー体９を一体的に設け、当該支柱５に嵌合する筒状部材１０が、前記ストッパー体９に当接した位置で回転自在となるように設けている。また、前記支柱５の上端部には蓋部材１１が設けられており、この蓋部材１１が筒状部材１０の抜け止めを兼ねている。
【００１７】
１２は平面視Ｌ字形に形成したアームであり、一端を前記筒状部材１０の側面部に固着し、他端には上部に便座１３を支持する便座支持体１４が固着されている。すなわち、便座１３が支柱５を軸心として、便器２の直上に位置する状態からトイレ出入口まで旋回移動可能となっている。なお、前記便座１３は便座支持体１４に、前側を開閉可能に枢着しており、健常者が使用する場合にも一般のトイレと同様に使用できるようになっている。
【００１８】
前記便座支持体１４の反支柱５側には、垂直方向に設けられる縦フレーム１５が固着されている。そして、前記縦フレーム１５の下端には、床面上を転動する自在車輪１６が取り付けられている。すなわち、前記自在車輪１６により、アーム１２を旋回させて便座１３を移動させた状態で被介護者が着座しても、便座１３がしっかりと水平状態で支持される共に、支柱５の撓みが軽減されるように設けられている。
【００１９】
１７は手摺であり、側面視ループ状に形成した手摺パイプ１７ａと、前記手摺パイプ１７ａの中央部から下方に向けて延びる垂直パイプ１７ｂとからなる。そして、垂直パイプ１７ｂを前記縦フレーム１５の外側部に固着される支持筒体１８に摺動自在に嵌合し、手摺１７を上下動自在に設けている。
【００２０】
１９は手摺１７の高さ切替手段であり、前記支持筒体１８にレバー２０を回動自在に枢着し、このレバー２０に一体に設けられた受け部材２１が、前記垂直パイプ１７ｂの下端を受ける状態と受けない状態とに切り替え可能となっている。すなわち、それぞれの状態において、手摺１７を上方位置と下方位置で支持するようになっている。なお、手摺１７を下方位置に切り替えたとき、当該手摺１７は便座１３と略々同じ高さかそれよりも低くなるように設定されており、被介護者が便座１３の側方から移乗できるようになっている。本実施例では、手摺１７を下降させて便座１３の側部に移動可能な空間を形成したが、手摺を着脱可能に構成したり、あるいは外方へ倒伏回動可能に構成する等の手段でも同様の効果が得られることは言うまでもない。
【００２１】
２２はアーム１２の固定手段を示す。これは、図４に示すように、筒状部材１０の側面部に上下方向に設けられるロックレバー２３の中間部を枢着し、一方、ストッパー体９の鍔部に前記ロックレバー２３の下端部が係合可能な切欠溝２４を形成し、ロックレバー２３の下端部が切欠溝２４に係合するとアーム１２が固定され、逆に切欠溝２４から抜け出るとアーム１２が旋回自在な状態となるよう構成している。また、ロックレバー２３の枢着部上方側には圧縮バネ２５を介装しており、ロックレバー２３の下端部が常にストッパー体９側に当接するように付勢している。すなわち、アーム１２を旋回させると、ロックレバー２３の下端部が自動的に切欠溝２４に係合し、便座１３が所定の位置で固定されるようになっている。なお本実施例では、便座１３が便器２の直上に位置する状態と出入口３側に旋回移動した被介護者を移乗させる状態とで固定されるように、図５のように切欠溝２４の位置を設定している。
【００２２】
次に、上例の作用について説明する。この介助装置により被介護者を便器上に移動させるには、まずロックレバー２３を操作して固定手段２２を解除する。そして、旋回自由となったアーム１２を旋回させて便座１３を出入口３側に移動させる。便座１３は固定手段２２により所定の旋回位置で再び固定される。このとき、自在車輪１６自体にブレーキ機構が設けられていれば、自在車輪１６のブレーキを掛けることにより適所で便座１３を固定することができる。
【００２３】
この状態から、車椅子等の運搬車で運ばれた被介護者を便座１３上に移乗させるが、この移乗介護をトイレ外側の広いスペースで行うことができるので、容易かつ安全である。また、便座１３の側部に設けられる手摺１７を下方位置に切り替えておけば、側方からも移乗できるので、さらに介護者の負担を軽減できる。
【００２４】
被介護者を便座１３上に移乗させた後、固定手段２２あるいは自在車輪１６のブレーキを解除し、アーム１２を旋回させて便座１３を便器２上に移動させていく。そして、便座１３は、固定手段２２により便器２の直上位置で固定され、被介護者を極めて容易に便器上に移動させることができる。
【００２５】
また、本実施例では、便座支持体１４に便座１３のみを取り付けた構成として説明したが、一般のトイレと同様に便蓋を取り付けておくことも可能であることは言うまでもない。
【００２６】
【発明の効果】
以上に説明したように、本発明のトイレ用介助装置は、便座を便器の直上位置から出入口まで移動可能に設け、被介護者の移乗介護をトイレ外側の広いスペースで行うことができるようにしたから、介護者及び被介護者に掛かる負担を軽減し、かつ安全性も向上した。また、構成が極めて簡単であり、既設のトイレにも容易に設置できると共に、健常者も違和感なく使用することができる。
【図面の簡単な説明】
【図１】本発明にかかるトイレ用介助装置の全体正面図
【図２】その側面図
【図３】便座を移動させた状態を示す平面図
【図４】固定手段の拡大断面図
【図５】その簡略平面図
【図６】手摺の作用説明図
【図７】高さ切替手段の作用説明図
【符号の説明】
１  トイレ
２  便器
３  出入口
４  トイレ用介助装置
５  支柱
６  基台
８  固定ネジ
１２  アーム
１３  便座
１４  便座支持体
１６  自在車輪
１７  手摺
２２  固定手段
【図１】
0003773137.tif 000002
【図２】
0003773137.tif 000003
【図３】
0003773137.tif 000004
【図４】
0003773137.tif 000005
【図５】
0003773137.tif 000006
【図６】
0003773137.tif 000007
【図７】
0003773137.tif 000008